(57)【要約】  本発明は、建設中の高層建築物の脇に使用するための安全スクリーンに関し、特に建築物に対する安全スクリーンを支持するための手段に関する。安全スクリーンアセンブリは、建築物のスラブに対して固定するための基材、スラブの端に突き出るように基材に従属するフレーム手段、およびスラブの端から水平に離間するようにフレーム手段に従属する安全スクリーンを備え、フレーム手段はスラブの端と安全スクリーンとの間の位置において、人を支持するように適合されている。
2015526612.tif 000002
【特許請求の範囲】
【請求項１】
建築物のスラブに対して固定するための基材、スラブの端に突き出るように基材に従属するフレーム手段、およびスラブの端から水平に離間するようにフレーム手段に従属する安全スクリーンを備え、フレーム手段がスラブの端と安全スクリーンとの間の位置において、人を支持するように適合されている、安全スクリーンアセンブリ。
【請求項２】
フレーム手段が、スラブの端と安全スクリーンとの間に少なくとも１つの支持プラットフォームを備える、請求項１に記載の安全スクリーンアセンブリ。
【請求項３】
フレーム手段が、スラブの端と安全スクリーンとの間に配置された複数の垂直方向に離間した支持プラットフォームを備える、請求項１または２に記載の安全スクリーンアセンブリ。
【請求項４】
フレーム手段およびそれに伴う安全スクリーンが、基材に対して垂直方向に可動である、請求項１〜３のいずれか一項に記載の安全スクリーンアセンブリ。
【請求項５】
基材が、スラブに対して固定するように適合された複数の水平支持ビーム、水平支持ビームによってそれぞれ支持されたフレーム手段に従属する複数の垂直フレーム要素を備え、各垂直フレーム要素がスラブの端に隣接して配置される、請求項１〜４のいずれか一項に記載の安全スクリーンアセンブリ。
【請求項６】
フレーム手段が、複数の垂直に離間したビームを備え、それらのそれぞれが垂直ストリンガーの間に延びている、請求項５に記載の安全スクリーンアセンブリ。
【請求項７】
１つのまたは各プラットフォームが、複数のフレーム手段のビームによって支持されている、請求項６に記載の安全スクリーンアセンブリ。
【請求項８】
安全スクリーンが、複数のフレーム手段の垂直ストリンガーに従属している、請求項６または７に記載の安全スクリーンアセンブリ。
【請求項９】
フレーム手段が、さらに、トラスを形成するように垂直ストリンガーの間に斜めに延びるブレース部材を備える、請求項６〜８のいずれか一項に記載の安全スクリーンアセンブリ。
【請求項１０】
安全スクリーンが、複数の安全スクリーンパネルを備える、請求項１〜９のいずれか一項に記載の安全スクリーンアセンブリ。
【請求項１１】
少なくとも１つの支持プラットフォームが、少なくとも、プラットフォーム内に開口が形成される第１の位置と、プラットフォーム内の開口が閉鎖される第２の位置との間を可動な手段を備える、請求項２〜１０のいずれか一項に記載の安全スクリーンアセンブリ。
【請求項１２】
プラットフォームの可動手段がフラップである、請求項１１に記載の安全スクリーンアセンブリ。
【請求項１３】
少なくとも１つのプラットフォームが、通路である、請求項２〜１２のいずれか一項に記載の安全スクリーンアセンブリ。
【請求項１４】
各プラットフォームが、通路である、請求項３〜１３のいずれか一項に記載の安全スクリーンアセンブリ。
【請求項１５】
建築物のスラブに対して固定するために適合された複数の水平支持ビーム、各々がそれぞれ水平支持ビームによって支持され、複数の垂直フレーム要素であって、各垂直フレーム要素がスラブの端に隣接して配置された前記複数の垂直フレーム要素、安全スクリーン、および垂直フレーム要素に従属し、かつ安全スクリーンが垂直フレーム要素およびスラブの端から順に水平に離間するように安全スクリーンを支持するフレーム手段を備える、安全スクリーンアセンブリ。
【発明の詳細な説明】
【技術分野】
【０００１】
優先権書類
本出願は、以下を基礎とする優先権を主張する：
豪国仮出願2012902703号、名称「スクリーンを登るための改善されたフレーム」、２０１２年６月２６日出願。
この出願の内容を、その全体の参照により、本明細書に組み込む。
【０００２】
参照による組み込み
本出願において、参照される以下の刊行物およびこれらの内容もまた、これらの全体の参照により、本明細書に組み込む：
Formula One Self Driving Screens Pty Ltdの名前における、名称を「可動スクリーン」とする、国際特許出願PCT/AU2002/00506；
Formula One Self Driving Screens Pty Ltdの名前における、名称を「改善されたリフトフレーム」とする、国際特許出願PCT/AU2003/01065；および
Formula One Self Driving Screens Pty Ltdの名前における、名称を「往復ジャッキを使用したリフトまたは輸送手段」とする、国際特許出願PCT/AU2003/01112。
【０００３】
技術分野
本発明は、建設中の高層建築物の脇に使用するための安全スクリーンに関し、特に建築物に対する安全スクリーンを支持するための手段に関する。
【背景技術】
【０００４】
対象の安全スクリーンは、一般的に、建築の途中の床の端に、スクリーンまたはバリアを提供するために採用される。高層建築物の窓および鼻隠板などの外部クラッドの配置の前は、フロアと天井（または上のフロア）との間の領域は開放されている。したがって、安全目的のために、特に人および物が、未完成の建築物から落下するのを防止するために、外部スクリーンを提供する必要がある。
【０００５】
上で参照した刊行物には、垂直方向に、一般的に上方に、建築物の建設が上方に伸びるにつれて、スクリーンを移動させるシステムが記載されている。
【０００６】
以前のシステムは、１または２つのフロアのそれぞれに沿って間隔を隔てている多くの水平支持ビームを使用する。水平支持ビームは、各フロアの境界を越えて延び、それらの最外端で、垂直柱を支持する。ブレース部材は、各水平支持ビームの後方部分から垂直柱に延びていてもよく、これにより各柱が強固に保持される。
【０００７】
安全スクリーンは、垂直柱の列に対して可動に取り付けられる。上述した特許明細書において、ホイストまたはジャッキ手段は、垂直柱に対して安全スクリーンを動かすために使用されている。以前の型のスクリーンシステムにおいて、それぞれ個別の安全スクリーンを持ち上げるためにクレーンを使用することができる。
【０００８】
上記安全スクリーンは、アクセスを、覆われたフロアの端に制限し、これにより、フロアを形成するコンクリートスラブのポストテンションなどのタスクのパフォーマンスを阻む。
【発明の概要】
【発明が解決しようとする課題】
【０００９】
このような背景および問題およびこれらに関連する困難に対して、本発明は開発された。
【００１０】
本発明の特定の目的および利点は、添付の図面に関連して、説明および実施例により、本発明の態様が開示された以下の記載から明らかになるであろう。
【課題を解決するための手段】
【００１１】
第１の側面によれば、建築物のスラブに対して固定するための基材、スラブの端に突き出るように基材に従属するフレーム手段、およびスラブの端から水平に離間するようにフレーム手段に従属する安全スクリーンを備え、フレーム手段がスラブの端と安全スクリーンとの間の位置において、人を支持するように適合される、安全スクリーンアセンブリを提供する。
【００１２】
一形態において、フレーム手段は、スラブのエッジと安全スクリーンとの間に配置された少なくとも1つの支持プラットフォームを備える。
【００１３】
一形態において、フレーム手段は、スラブのエッジと安全スクリーンとの間に配置される、複数の垂直方向に離間した支持プラットフォームを備える。
【００１４】
人またはプラットフォームは、スラブの上または下のいずれに配置されてもよいが、この明細書の目的のために、「スラブの端と安全スクリーンとの間」に依然としてあってもよい。
【００１５】
一形態において、少なくとも１つのプラットが通路である。一形態において、各プラットフォームが通路である。
【００１６】
一形態において、フレーム手段およびそれに伴う安全スクリーンは、基材に対して垂直方向に可動である。
【００１７】
一形態において、基材はスラブに対して固定するように適合された複数の水平支持ビーム、水平支持ビームによってそれぞれ支持されたフレーム手段に従属する複数の垂直フレーム要素を備え、各垂直フレーム要素はスラブの端に隣接して配置される。
【００１８】
一形態において、フレーム手段は複数の垂直方向に離間したビームを備え、それらのそれぞれは垂直ストリンガーの間に延びている。
【００１９】
一形態において、１つのまたは各プラットフォームは複数のフレーム手段のビームによって支持されている。
【００２０】
一形態において、安全スクリーンは複数のフレーム手段の垂直ストリンガーに従属する。
【００２１】
一形態において、フレーム手段は、さらに、トラスを形成するように垂直ストリンガーの間に斜めに延びるブレース部材を備える。
【００２２】
一形態において、安全スクリーンは複数の安全スクリーンパネルで構成されている。
【００２３】
一形態において、少なくとも一つのプラットフォームは、少なくともプラットフォーム内に開放部が作成された第１の位置と、プラットフォーム内の開放部が閉じられた第２の位置との間を可動な手段を備える。
【００２４】
さらなる側面において、本発明は、建築物の構造に対して固定するための基材、建築物のスラブの端に突き出るように基材に従属するフレーム手段、およびスラブの端から水平に離間するようにフレーム手段に従属する安全スクリーンを備え、フレーム手段がスラブの端と安全スクリーンとの間の位置において、人を支持するように適合される、安全スクリーンアセンブリにあると言ってもよい。
【００２５】
さらなる側面において、本発明は、建築物のスラブに対して固定するために適合された複数の水平支持ビーム、各々がそれぞれ水平支持ビームによって支持され、各垂直フレーム要素がスラブの端に隣接して配置された複数の垂直フレーム要素、安全スクリーン、および垂直フレーム要素に従属し、かつ安全スクリーンが垂直フレーム要素およびスラブの端から順に水平に離間するように安全スクリーンを支持するフレーム手段を備える、安全スクリーンアセンブリにあると言ってもよい。
【００２６】
本発明の１または２以上の態様の詳細な説明を、例として本発明の本質を説明する図に沿って以下に提供する。本発明は、かかる態様に関連して記載されているが、本発明はいずれの態様にも限定されるものではないことが理解されるべきである。逆に、本発明の範囲は添付の特許請求の範囲によってのみ限定され、本発明は、多数の代替、改変、および均等物を包含する。例示する目的で、多数の具体的な詳細を、本発明の完全な理解を提供するために、以下の説明に記載する。
【００２７】
本発明は、これらの具体的な詳細の一部または全てがなくても、請求項に従って実施することができる。明確にする目的で、本発明が不必要に不明瞭にならないように、本発明に関連する技術分野で知られている技術的な材料は、詳細に記載していない。
【００２８】
本発明の態様は添付の図面を参照して議論されるであろう
【図面の簡単な説明】
【００２９】
【図１】図１は、安全スクリーンアセンブリの正面図である。
【図２】図２は、図１の安全スクリーンアセンブリの平面図である。
【図３】図３は、図１の安全スクリーンアセンブリの側面図である。
【図４】図４は、図１で説明される型の安全スクリーンアセンブリの斜視図である。
【００３０】
以下の説明において、図全体を通して、同様の参照文字は、同様のまたは対応する部分を指す。
【００３１】
態様の説明
ここで図１〜３を参照すると、高層建築物の完成スラブ２０によって支持され、後続して形成されるべきフロア（または破線で示されたスラブ）にスクリーニングを提供するために垂直に延びる安全スクリーン１０を備える、安全スクリーンアセンブリ１が示されている。
【００３２】
安全スクリーン１０は、複数の安全スクリーンパネル１１を備え、各安全スクリーンパネル１１は、フレーム１２とメッシュインフィルパネル１３を備える。安全スクリーン１０は、建築物の外部表面を覆い、一方これは窓または外壁の固定を待っている。これは人および物が建築物から落ちるのを防ぐ。
【００３３】
また、安全スクリーン１０は、次のフロアを作成するためにフォームワークが最上のフロアに固定されている間に、最上の完成したフロアよりも上に延び、また安全な作業環境を提供する。
【００３４】
安全スクリーン１０は、安全スクリーン１０が、完成したスラブ２０の端から水平に離間するように、フレーム手段２に従属している（図３参照）。このように、フロアを形成するスラブ２０の端にアクセスがなされる。
【００３５】
フレーム手段２は、少なくとも１組の垂直フレーム要素１５を備える基材３（図３参照）によって支持されている。各垂直フレーム要素１５は、ブラケット１７（シューともいう）で担持され、水平支持ビーム１６（ニードルともいう）に従属し、次いでスラブ２０に担持されている。
【００３６】
フレーム手段２およびそれに伴う安全スクリーン１０は、水平支持ビーム１６および垂直フレーム要素１５に対して垂直に移動することができる。このように、フレーム手段２および安全スクリーンは、次のフロアを創造するために、最上のフロアでの作業を可能にするために必要とされるとおりに、上昇させることができる。本発明の場合における、フレーム手段２を上昇させる手段および安全スクリーン１０は、PCT/AU03/01112の明細書に記載されているものと同じである、すなわちフレーム手段２および安全スクリーン１０の上方への動きを許容するが、下方へは許容しない往復ジャックおよびラッチ手段を含む。
【００３７】
水平支持ビーム１６は、各水平支持ビーム１６上に配置され、かつスラブ２０に固定されたサドル２１を使用してスラブ２０に担持させる。支え２２は、サドル２１から垂直フレーム要素１５の上部に延びている。この構成は、垂直フレーム要素１５をスラブ２０に対して強固に保持している。追加の支持を提供する目的のために、さらなる支持ビーム１６を、これらが形成されたように、新しいフロアに固定してもよい。
【００３８】
フレーム手段２は、垂直ストリンガー１４の間に固定された、複数の垂直に離間したビーム２５を備える。フレーム手段２は、強固なトラス構造を形成するために、垂直ストリンガー１４の間に延びるブレース部材２６および垂直支柱２７をさらに備える。ブレース部材２６および垂直支柱２７は、安全スクリーン１０をしっかりと保持するように、ビーム２５を補助するための剛性を提供する。
【００３９】
水平支持ビーム１６は、建築物のフロア（すなわちスラブ２０）の端を顕著に超えて延びない、そのため、垂直フレーム要素１５もまた、建築物フロアの端の近くに支持される。垂直フレーム要素１５は、かなりの質量を有することができ、したがってこの質量をスラブ２０の端に設置することにより、水平支持ビーム１６に適用されるカンチレバー負荷が最小になる。次いで、比較的軽い質量の安全スクリーン１０を、その後スラブ２０の端からある距離をおいて、フレーム手段２によって支持することができる。
【００４０】
スラブ２０の端からある距離をおいた安全スクリーンの間隔２は、安全スクリーン１０とスラブ２０との間に支持プラットホーム２９を配置するのを可能にし、スラブ２０の外縁への容易なアクセスを提供する。
【００４１】
図２にまずみられるとおり、フレーム手段２は、スクリーンパネル１１とスラブ２０の端との間に延びる通路を提供するプラットフォーム２９を備える。通路２９は、ビーム２５および追加のブラケット３０に支持された木の板の第１のセクションを備える。通路２９の第１の部分にヒンジで連結されたものは、図４に示すとおりの開放位置から図２およびまた図４にみられるとおりの閉鎖位置の間で回転するフラップ３１である。フラップ３１は、それらがブラケット３０からの拡張（図示なし）またはスラブ２０上の適切な支持物への当接のいずれかによって支持されている水平位置まで回転する。
【００４２】
通路２９は、スラブ２０の端への安全なアクセスを提供し、様々な打設後作業、例えばポストストレス（post-stressing）などを行うのを可能にする。フラップ３１により、作業者は、プラットフォーム２９によって規定されるレベルと建築物のフロアとの間を安全に移動することができる。
【００４３】
本明細書および続く特許請求の範囲をとおして、文脈上他の意味に解すべき場合を除き、用語「備える（comprise）」および「含有する（including）」は、述べられた整数または整数の群の含有を意味するが、任意の他の整数または整数の群の排除ではないと理解されるであろう。
【００４４】
本明細書における任意の先行技術への参照は、かかる先行技術が共通の一般知識の一部を形成するといういかなる形式の示唆の確認とは解釈されず、また解釈されるべきではない。
【００４５】
本発明は、記載された特定の出願へのその使用に限定されないことが、当業者に理解されよう。本明細書に記載もしくは描写された特定の要素および／または構成について、いずれもその好ましい態様に限定された本発明ではない。本発明は、開示された１つの態様または態様（複数）に限定されないが、以下の特許請求の範囲に記載され、および定義された本発明の範囲から逸脱することなく、多数の再構成、改変および置換が可能であることが理解されよう。
【図１】
2015526612.tif 000003
【図２】
2015526612.tif 000004
【図３】
2015526612.tif 000005
【図４】
2015526612.tif 000006
【国際調査報告】
2015526612.tif 000007
2015526612.tif 000008
2015526612.tif 000009